Podtech/llm-jp-corpus-v4-ja_patent huggingface dataset:
【手続補正書】
【提出日】平成18年10月18日(2006.10.18)
【手続補正１】
【補正対象書類名】明細書
【補正対象項目名】０００２
【補正方法】変更
【補正の内容】
【０００２】
【従来技術及び問題点】
従来この種の気柱を有するテントは、図４および図５に示すように、平面状の床布本体１１の外周に全周にわたって立設された固定片１２を有する床布１の前記固定片１２で画成された部分に気柱２を立設している。このような気柱２は複数のアーチ状のアーチ状気柱２１とこのアーチ状気柱２１と連通し、かつこのアーチ状気柱２１を相互に接続する複数の梁状気柱２２を有した構造になっており、天幕３をこれらの気柱２１および２２に被せるようになっている。そして、前記天幕３の下端は前記床布１の固定片１２にロープＲなどによって複数箇所で脱着自在に取付けられて、張られるようになっている。
【手続補正２】
【補正対象書類名】明細書
【補正対象項目名】０００８
【補正方法】変更
【補正の内容】
【０００８】
【実施例】
図１は本発明によるテントの正面図であり、図２は側断面図、図３は床布を示す斜視図であるが、これらの図より明らかなように、本発明によるテントは、平面状の床布本体１１の外周に全周にわたって立設された固定片１２を有する床布１の前記固定片１２で画成された部分に気柱２を立設している。このような気柱２は複数のアーチ状のアーチ状気柱２１とこのアーチ状気柱２１と連通し、かつこのアーチ状気柱２１を相互に接続する複数の梁状気柱２２を有した構造になっており、天幕３をこれらのアーチ状気柱２１および梁状気柱２２に被せるようになっている。そして、前記天幕３の下端は前記床布１の固定片１２にロープなどによって複数箇所で脱着自在に取付けられて、張られるようになっている。
【手続補正３】
【補正対象書類名】明細書
【補正対象項目名】０００９
【補正方法】変更
【補正の内容】
【０００９】
本発明における床布１は、前記固定片１２の外側に支持気嚢１３が設けられている。この支持気嚢１３は、空気供給口（図示せず）を有しており、膨張収縮可能になっている。そして、この実施例においては、四角形状の床布本体１１の全周にわたって設けられており、相互に連通している。しかしながら、この支持気嚢１３は、必ずしも相互に連通させる必要はなく、互いに独立していてもよい。前記支持気嚢１３は前記固定片１２および床布本体１１に固定されている。
【手続補正４】
【補正対象書類名】明細書
【補正対象項目名】００１０
【補正方法】変更
【補正の内容】
【００１０】
前記支持気嚢１３には大きく口を開くことが可能な空気排出口が設けられており、この空気排出口には、前記空気排出口が開閉自在になるように気密ファスナー１３１が設けられている。このように大寸法の空気排出口と気密ファスナー１３１を設けることによって、床布１を折り畳む場合に、支持気嚢１３より迅速に空気を排出することが可能になる。
【手続補正書】
【提出日】平成18年10月18日(2006.10.18)
【手続補正１】
【補正対象書類名】明細書
【補正対象項目名】請求項１
【補正方法】変更
【補正の内容】
【請求項１】  床布上に空気を供給するための空気供給口を設けた気柱を立設し、前記気柱に天幕を被せるとともに、天幕の端部を前記床布の外周に取付けたテントにおいて、前記気柱に大寸法の空気排出口を形成し、この空気排出口に気密ファスナーを設けたことを特徴とするテント。
【手続補正２】
【補正対象書類名】明細書
【補正対象項目名】０００８
【補正方法】変更
【補正の内容】
【０００８】
【実施例】
図１は本発明によるテントの正面図であり、図２は側断面図、図３は床布を示す斜視図であるが、これらの図より明らかなように、本発明によるテントは、平面状の床布本体１１の外周に全周にわたって立設された固定片１２を有する床布１の前記固定片１２で画成された部分に気柱２を立設している。このような気柱２は複数のアーチ状のアーチ状気柱２１とこのアーチ状気柱２１と連通し、かつこのアーチ状気柱２１を相互に接続する複数の梁状気柱２２を有した構造になっており、天幕３をこれらの気柱２１および２２に被せるようになっている。そして、前記天幕３の下端は前記床布１の固定片１２にロープなどによって複数箇所で脱着自在に取付けられて、張られるようになっている。
【手続補正３】
【補正対象書類名】明細書
【補正対象項目名】０００９
【補正方法】変更
【補正の内容】
【０００９】
前記気柱２のアーチ状気柱２１に、本発明においては、空気排出口２４が設けられている。この空気排出口２４は、この実施例においてはアーチ状気柱２１のそれぞれの側部に複数形成されている。そして、それぞれの前記空気排出口２４には気密ファスナー２５が設けられており、前記空気排出口２４は開閉自在になっている。このような空気排出口２４は、アーチ状気柱２１および梁状気柱２２のいずれかに設ける場合には、前記アーチ状気柱２１に設けるのが好ましい。もちろん梁状気柱２２にも設けてもよいが、作業者の手が届きにくい。最も好ましくはアーチ状気柱２１および梁状気柱２２の両方に設ける。
【手続補正書】
【提出日】平成18年8月25日(2006.8.25)
【手続補正１】
【補正対象書類名】明細書
【補正対象項目名】０００３
【補正方法】変更
【補正の内容】
【０００３】
従来の綿繊維（以下これを綿布として説明する。）の一般的漂白処理は、その漂白を行なう前の綿布の糊抜き、精練の処理を行なった後に、その綿布の漂白を行なう。この漂白処理は、通常漂白剤として亜塩素酸ソーダを用いる漂白法が採用されている。この漂白方法では布地を傷めることが少なく、しかも高い漂白度が得られるので、この亜塩素酸ソーダ使用による漂白法が一般的に行なわれている。
【手続補正２】
【補正対象書類名】明細書
【補正対象項目名】０００８
【補正方法】変更
【補正の内容】
【０００８】
それは、オゾン含有ガスを用いた漂白後において、経時的黄変が生じるということである。つまりオゾン含有ガスを使用する綿布の漂白は、その漂白直後では高い白度が得られるが、その漂白後、数週間から数ケ月経過すると徐々に黄変度が高まることが判明された。この黄変度は、漂白直後の綿布を、蒸気か熱処理あるいはアルカリ処理を行なうことで直ちに現われる。
【手続補正３】
【補正対象書類名】明細書
【補正対象項目名】００２９
【補正方法】変更
【補正の内容】
【００２９】
かくしてオゾン処理室５内でオゾン処理された布帛１は、そのオゾン処理室５から導出された後、湯温が８０℃〜１００℃に保たれている湯洗槽６内に供給され、この湯洗槽による湯洗作用によって布帛１の繊維はオゾンと反応し、この反応時に生じた酸化セルローズの一部が繊維から洗い落される。この湯洗浄時間は３０秒から数分が望ましい。
【手続補正書】
【提出日】平成18年2月3日(2006.2.3)
【手続補正１】
【補正対象書類名】明細書
【補正対象項目名】００２２
【補正方法】変更
【補正の内容】
【００２２】
すなわち、本発明で使用する含リン化合物の添加量はあまりに少ないと、アルカリ減量処理後の繊維は色の深みが不充分になる。この量を多くするに従って、色の深みは増加するものの、あまりに多くなると、もはや色の深みは著しい向上を示さず、かえって耐摩擦耐久性が悪化し、さらに、十分な重合度と軟化点とを有するポリエステルポリマーを得ること自体が困難となり、紡糸時に断糸が多発するというトラブルが発生する。このため、含金属リン化合物の添加量はポリエステルを構成する酸成分を基準として０．５〜１．８モル％の範囲にすべきであり、特に０．６〜１．８モル％の範囲とすることが好ましい。
【手続補正２】
【補正対象書類名】明細書
【補正対象項目名】００２３
【補正方法】変更
【補正の内容】
【００２３】
またアルカリ土類金属化合物の添加量が、ポリエステルを構成する全酸成分を基準として０．２５モル％より少ない場合には、得られるポリエステル繊維の色の深みが不十分であり、そのうえ重縮合速度が低下して高重合度のポリエステルを得ることが困難となり、また、生成ポリエステルの軟化点が大幅に低下するようになる。ポリエステルを構成する全酸成分を基準として３．６モル％を越えると、ポリマー内部に粗大粒子が生成し、色の深みが改善されるどころか、かえって視感濃度が低下する。このため、アルカリ土類金属化合物の添加量は、ポリエステルを構成する全酸成分を基準として０．２５〜３．６モル％の範囲とする必要があり、好ましくは０．３５〜２．２モル％、特に０．４〜１．８モル％とすることが好ましい。
【手続補正３】
【補正対象書類名】明細書
【補正対象項目名】００４９
【補正方法】変更
【補正の内容】
【００４９】
得られた生機をロータリーワッシャーにて沸騰温度で２０分間リフラックス処理し、シボ立てを行い、常法によりプリセット後、３．５％の水酸化ナトリウム水溶液で沸騰温度にて処理し、減量率が１０％、２０％および３０％の布帛を得た。
【手続補正書】
【提出日】平成17年11月16日(2005.11.16)
【手続補正１】
【補正対象書類名】明細書
【補正対象項目名】特許請求の範囲
【補正方法】変更
【補正の内容】
【特許請求の範囲】
【請求項１】被検体をＸ線で照射するＸ線源（１０２）と、前記Ｘ線源（１０２）の近傍に配置させ前記Ｘ線の一部分を阻止しているコリメータ（１３０）と、前記Ｘ線源（１０２）からのＸ線を受け取ると共に被検体を示す被検体データ（２１６）及び前記コリメータ（１３０）を示すコリメータ・データ（２０４、２０６）を生成させている検出器と、前記Ｘ線源（１０２）の撮像域に対する前記コリメータ（１３０）の位置を特定する位置検出器（１３１）と、前記被検体データ（２１６）及びコリメータ・データ（２０４、２０６）を受け取っているゲート制御モジュールであって、前記被検体データ（２１６）の一部分は少なくとも通過させ、前記コリメータ（１３０）の前記位置に基づいて前記コリメータ・データ（２０４、２０６）の少なくとも一部分は阻止しているゲート制御モジュールと、少なくとも前記ゲート制御モジュールが通過させた前記被検体データ（２１６）の前記部分に基づいてＸ線画像（２０２）を表示するディスプレイ（１２６）と、を備えるＸ線システム（１００）。
【請求項２】 さらに、前記Ｘ線画像（２０２）の表示に影響を及ぼすような前記被検体
データ（２１６）の前記部分のヒストグラム（１８２）を生成させるヒストグラム作成器（１１８）を備える請求項１に記載のＸ線システム（１００）。
【請求項３】 さらに、前記被検体データ（２１６）を包含しかつ前記コリメータ・デー
タ（２０４、２０６）を除外したヒストグラム（１８２）を生成させるヒストグラム作成器（１１８）を備える請求項１に記載のＸ線システム（１００）。
【請求項４】 さらに、前記コリメータ・データ（２０４、２０６）と独立に前記ディス
プレイのコントラストを自動的に調整するコントラスト・モジュールを備える請求項１に記載のＸ線システム（１００）。
【請求項５】 被検体をＸ線で照射するＸ線源（１０２）と、前記Ｘ線源（１０２）の近
傍に配置させ前記Ｘ線の一部分を阻止しているコリメータ（１３０）と、前記Ｘ線源（１０２）からのＸ線を受け取ると共に被検体を示す被検体データ（２１６）及び前記コリメータ（１３０）を示すコリメータ・データ（２０４、２０６）を生成させている検出器と、前記コリメータ（１３０）の位置、向き、形状及び辺縁（２７２、２７４）のうちの少なくとも１つを前記コリメータ（１３０）の前記位置に基づいて特定するコリメータ計算モジュール（１３２）と、前記被検体データ（２１６）及びコリメータ・データ（２０４、２０６）を受け取っているゲート制御モジュールであって、前記被検体データ（２１６
）の一部分は少なくとも通過させ、前記コリメータ（１３０）の前記位置に基づいて前記コリメータ・データ（２０４、２０６）の少なくとも一部分は阻止しているゲート制御モジュールと、少なくとも前記ゲート制御モジュールが通過させた前記被検体データ（２１６）の前記部分に基づいてＸ線画像（２０２）を表示するディスプレイ（１２６）と、を備えるＸ線システム（１００）。
【請求項６】 さらに、前記被検体データ（２１６）を包含しかつ前記コリメータ・デー
タ（２０４、２０６）を除外したヒストグラム（１８２）を生成させるヒストグラム作成器（１１８）を備える請求項５に記載のＸ線システム（１００）。
【請求項７】 前記ゲート制御モジュールは前記被検体データ（２１６）のうち関心領域
（２０８）の外部にあるセクションを阻止している、請求項５に記載のＸ線システム（１００）。
【請求項８】 Ｘ線画像（２０２）のコントラストを強調するための方法であって、コリ
メータ（１３０）により部分的に阻止されたＸ線源（１０２）に被検体を曝露させるステップと、被検体を示す被検体データ（２１６）及びコリメータ（１３０）を示すコリメータ・データ（２０４、２０６）を検出するステップと、コリメータ（１３０）の位置を示す位置データを特定するステップと、前記位置データに基づいて前記コリメータ・データ（２０４、２０６）を阻止するように前記被検体データ（２１６）及びコリメータ・データ（２０４、２０６）をゲート制御するステップと、前記被検体データ（２１６）の少なくとも一部分に基づいてＸ線画像（２０２）を表示するステップと、を含む方法。
【請求項９】 前記ゲート制御のステップがさらに、前記被検体データ（２１６）の一部
分を阻止することを含む、請求項８に記載の方法。
【請求項１０】 前記Ｘ線画像（２０２）の表示に利用する最小及び最大のグレイスケー
ル値を前記被検体データ（２１６）の少なくとも一部分に基づいて自動的に計算するステップをさらに含む請求項８または９に記載の方法。
【手続補正２】
【補正対象書類名】明細書
【補正対象項目名】０００８
【補正方法】変更
【補正の内容】
【０００８】
コリメータの影響を排除しようとする試みの中で、コリメータを実際に配置した場所によらず画像のうちコリメータによる妨害を受けないある小さいエリアから最大及び最小輝度レベルを決定することが提案されている。しかしながら、輝度レベルを撮像域のある狭い領域に基づいて制御すると、コリメータを全く用いないかほとんど妨害を与えないコリメータを用いる場合など、より広い撮像域に対するコントラスト強調が犠牲となることがある。この方法では、高コントラストの解剖構造を撮影する場合にその解剖構造のグレイスケール・データが失われる結果となる。
【特許文献１】米国特許第６４８０５７０号
【手続補正書】
【提出日】平成18年9月26日(2006.9.26)
【手続補正１】
【補正対象書類名】明細書
【補正対象項目名】特許請求の範囲
【補正方法】変更
【補正の内容】
【特許請求の範囲】
【請求項１】
オオムギの「赤神力」もしくは「H. spontaneum」に由来する塩基配列またはその相補配列からなるオリゴヌクレオチドを２つ以上組み合わせて有している、植物の品種識別のためのオリゴヌクレオチドセットであって、
該塩基配列は、
配列番号１、１０、２１、３３、４２、５１、６４、７３、８０、９０、１０５、１１５、１２６、１４０、１５６、１７９、または２５７の何れかに表されるＤＮＡ配列の、７以上の塩基からなる部分配列であり、かつ
表１〜表２にてＳＮＰと示される塩基を含む
ことを特徴とするオリゴヌクレオチドセット。
【請求項２】
オオムギの「赤神力」もしくは「H. spontaneum」に由来する塩基配列またはその相補配列からなるオリゴヌクレオチドを２つ以上組み合わせて有している、植物の品種識別のためのＤＮＡチップであって、
該塩基配列は、
配列番号１、１０、２１、３３、４２、５１、６４、７３、８０、９０、１０５、１１５、１２６、１４０、１５６、１７９、または２５７の何れかに表されるＤＮＡ配列の、１０〜３０塩基からなる部分配列であり、かつ
表１〜表２にてＳＮＰと示される塩基を含む
ことを特徴とするＤＮＡチップ。
【請求項３】
オオムギの「赤神力」もしくは「H. spontaneum」に由来する塩基配列またはその相補配列からなる第１のプライマーを少なくとも一つ備えている、オオムギのゲノム内に存在するＳＮＰをタイピングするためのキットであって、
該塩基配列は、
配列番号１、１０、２１、３３、４２、５１、６４、７３、８０、９０、１０５、１１５、１２６、１４０、１５６、１７９、または２５７の何れかに表されるＤＮＡ配列の、１５〜３０塩基からなる部分配列であり、かつ
表１〜表２にてＳＮＰと示される塩基を含む
ことを特徴とするキット。
【請求項４】
請求項１に記載のオリゴヌクレオチドセットを用いて被検体の遺伝子に生じた一塩基多型を検定又は同定する検定方法。
【請求項５】
請求項２に記載のＤＮＡチップを用いて被検体の遺伝子に生じた一塩基多型を検定又は同定する検定方法。
【請求項６】
請求項３に記載のキットを用いて被検体の遺伝子に生じた一塩基多型を検定又は同定する検定方法。
【請求項７】
オオムギのゲノム内に存在するＳＮＰをタイピングする方法であって、
オオムギの「赤神力」もしくは「H. spontaneum」に由来する塩基配列またはその相補配列からなる２本以上のオリゴヌクレオチドをオオムギのゲノムＤＮＡまたはその部分配列とハイブリダイズさせる工程
を包含し、
ここで、該塩基配列は、
配列番号１、１０、２１、３３、４２、５１、６４、７３、８０、９０、１０５、１１５、１２６、１４０、１５６、１７９、または２５７の何れかに表されるＤＮＡ配列の、７以上の塩基からなる部分配列であり、かつ
表１〜表２にてＳＮＰと示される塩基を含む
ことを特徴とする、方法。
【請求項８】
オオムギのゲノム内に存在するＳＮＰをタイピングする方法であって、
オオムギの「赤神力」もしくは「H. spontaneum」に由来する塩基配列またはその相補配列からなる２本以上のオリゴヌクレオチドを固定化したＤＮＡチップをオオムギのゲノムＤＮＡまたはその部分配列とハイブリダイズさせる工程
を包含し、
ここで、該塩基配列は、
配列番号１、１０、２１、３３、４２、５１、６４、７３、８０、９０、１０５、１１５、１２６、１４０、１５６、１７９、または２５７の何れかに表されるＤＮＡ配列の、１０〜３０塩基からなる部分配列であり、かつ
表１〜表２にてＳＮＰと示される塩基を含む
ことを特徴とする、方法。
【請求項９】
オオムギのゲノム内に存在するＳＮＰをタイピングする方法であって、
オオムギの「赤神力」もしくは「H. spontaneum」に由来する塩基配列またはその相補配列からなるプライマー対を用いてオオムギのゲノムＤＮＡまたはその部分配列を増幅する工程
を包含し、
ここで、該プライマー対を構成する第１のプライマーおよび第２のプライマーはいずれも、配列番号１、１０、２１、３３、４２、５１、６４、７３、８０、９０、１０５、１１５、１２６、１４０、１５６、１７９もしくは２５７の何れかに表されるＤＮＡ配列の、１５〜３０塩基からなる部分配列、またはその相補配列からなり、
第１のプライマーは、表１〜表２にてＳＮＰと示される塩基を含む塩基配列、またはその相補配列からなり、
第２のプライマーは、第１のプライマーが由来する配列番号のＤＮＡ配列を増幅するように設計されている
ことを特徴とする、方法。
【請求項１０】
請求項４〜９のいずれか１項に記載の方法によって得られた結果に基づいて、被検体が「赤神力」型または「H. spontaneum」型のいずれの型のＳＮＰ型を有しているのかを判定する工程を包含する、植物の品種を識別する方法。
【手続補正書】
【提出日】平成18年8月15日(2006.8.15)
【手続補正１】
【補正対象書類名】明細書
【補正対象項目名】特許請求の範囲
【補正方法】変更
【補正の内容】
【特許請求の範囲】
【請求項１】  ＥＰＯ分子当たりのシアル酸含有量が異なるグリコシル化ＥＰＯのアイソフォームの混合物の単離方法であって、該混合物はヒトまたはハムスター細胞由来のものでシアル酸含有量が増加したものであり、該方法は、該ヒトまたはハムスター細胞が適当な培地で培養され、そして、所望のポリペプチドが該細胞または／および該培養上清から単離されるものであって、該培養培地に少なくとも２種の炭水化物の混合物が添加され、かつ該炭水化物が該細胞のそれぞれの要求に応じて添加される方法。
【請求項２】  請求項１記載の方法であって、該炭水化物の混合物が、グルコース、マンノースまたは／およびガラクトースである方法。
【請求項３】  請求項１または２記載の方法であって、該培養が≦３５.５℃の温度で行われる方法。
【手続補正書】
【提出日】平成18年1月17日(2006.1.17)
【手続補正１】
【補正対象書類名】明細書
【補正対象項目名】０００２
【補正方法】変更
【補正の内容】
【０００２】
【従来の技術】
従来、投影露光装置（ステッパー）では、多数のレンズが使用されており、結像系だけでも数十面のレンズ枚数が使用されている。このような装置では、レンズ等の光学部材の表面反射が大きいと、フレア・ゴーストが生じて結像性能が悪化したり、光源からウエハーまでに到達する光量が小さくなることから、露光効率が悪化する。例えば、一面当りの反射率が０．３％であると、光学部品の枚数が５０枚（１００面）の場合、１−（１−０．００３）１００より２６％近い光量がロスすることになる。
【手続補正２】
【補正対象書類名】明細書
【補正対象項目名】００８５
【補正方法】変更
【補正の内容】
【００８５】
図７及び図８より明らかなように比較例１の反射防止膜は、Ｒａ≦０．４％となる波長範囲は１９０ｎｍ〜２０６ｎｍであり、分光反射防止帯域は狭いことがわかる。また、角度反射防止特性について見ると、入射角０度（垂直入射）においても反射率はおよそ０．２％と高く、さらに入射３０度を超えるとｓ偏光とｐ偏光の反射率の差が無視できなくなるばかりか、平均反射率は３３度以上で０．５％を超え、４２度以上では１．０％を超えてしまった。
【手続補正書】
【提出日】平成18年2月22日(2006.2.22)
【手続補正１】
【補正対象書類名】明細書
【補正対象項目名】特許請求の範囲
【補正方法】変更
【補正の内容】
【特許請求の範囲】
【請求項１】  少なくとも医療行為に係わるデータの入出力を行う端末と、該端末との間で前記データの授受を行うサーバシステムと、該サーバシステムにより授受される病院内の情報を記録及び一元的に集中管理する病院内情報管理システムと、を備えた病院情報システムであって、
前記端末は、
医療オーダに基づき前記サーバから送信されて指示される通常に予定されている医療業務のデータ入出力を行う機能と、
前記サーバから送信されて指示されることなく予定外に発生する医療業務のデータ入出力を行う機能と、
を備えていることを特徴とする病院情報システム。
【請求項２】  前記予定外に発生する医療業務は、臨時の測定と該測定データの入出力であることを特徴とする請求項１記載の病院情報システム。
【請求項３】  前記測定は、少なくとも体温、脈拍、呼吸、又は血圧の測定を含んでいることを特徴とする請求項２記載の病院情報システム。
【請求項４】  前記予定外に発生する医療業務は、破損した注射ボトルの薬剤名の取得と該取得した薬剤名データの入出力であることを特徴とする請求項１記載の病院情報システム。
【請求項５】  前記薬剤名の取得は、前記注射ボトルに貼着されている識別コードを前記端末の識別コード読み取り装置により読み取り入力され、又は前記端末の使用者によって手入力されることを特徴とする請求項４記載の病院情報システム。
【請求項６】
医療行為に関するオーダ情報を管理する管理手段と、
前記オーダ情報に対応する医療行為の実施内容を入力する入力手段と、
前記管理手段からの指示されるオーダ情報以外の臨時業務内容に臨時業務であることを示す情報を加えた実施内容を入力する臨時業務入力手段と、
前記入力手段により入力された実施内容と、前記臨時業務入力手段により入力された実施内容を記録する記録手段と、
前記記録手段に記録された実施内容の中から、前記臨時業務であることを示す情報に基づき臨時業務の実施内容を抽出する抽出手段と、
前記抽出した臨時業務の内容を表示する表示手段と
を備えたことを特徴とする病院情報システム。
【請求項７】
前記表示手段は、前記臨時業務の実施内容を表示すると共に、前記臨時業務の対象と同じ患者のオーダ情報に関連する実施内容を表示することを特徴とする請求項６に記載の病院情報システム。
【請求項８】
前記抽出手段により抽出された臨時業務の実施内容と前記管理手段において管理されるオーダ情報と紐付けを行う紐付け手段とを更に備えることを特徴とする請求項６又は７に記載の病院情報システム。
【手続補正２】
【補正対象書類名】明細書
【補正対象項目名】００１２
【補正方法】変更
【補正の内容】
【００１２】
【課題を解決するための手段】
先ず、第１の発明の病院情報システムは、少なくとも医療行為に係わるデータの入出力を行う端末と、該端末との間で上記データの授受を行うサーバシステムと、該サーバシステムにより授受される病院内の情報を記録及び一元的に集中管理する病院内情報管理システムと、を備えた病院情報システムであって、上記端末は、医療オーダに基づき上記サーバから送信されて指示される通常に予定されている医療業務のデータ入出力を行う機能と、上記サーバから送信されて指示されることなく予定外に発生する医療業務のデータ入出力を行う機能と、を備えて構成される。
【手続補正３】
【補正対象書類名】明細書
【補正対象項目名】００１３
【補正方法】変更
【補正の内容】
【００１３】
上記予定外に発生する医療業務は、例えば請求項２記載のように、臨時の測定と該測定データの入出力であり、この場合、上記測定は、例えば請求項３記載のように、少なくとも体温、脈拍、呼吸、又は血圧の測定を含んでいる。
また、上記予定外に発生する医療業務は、例えば請求項４記載のように、破損した注射ボトルの薬剤名の取得と該取得した薬剤名データの入出力であり、この場合、上記薬剤名の取得は、例えば請求項５記載のように、上記注射ボトルに貼着されている識別コードを上記端末の識別コード読み取り装置により読み取り入力され、又は上記端末の使用者によって手入力される。
次に、第２の発明の病院情報システムは、医療行為に関するオーダ情報を管理する管理手段と、上記オーダ情報に対応する医療行為の実施内容を入力する入力手段と、上記管理手段から指示されるオーダ情報以外の臨時業務内容に臨時業務であることを示す情報を加えた実施内容を入力する臨時業務入力手段と、上記入力手段により入力された実施内容と、上記臨時業務入力手段により入力された実施内容を記録する記録手段と、上記記録手段により記録された実施内容の中から、上記臨時業務であることを示す情報に基づき臨時業務の実施内容を抽出する抽出手段と、上記抽出した臨時業務の内容を表示する表示手段とを備えて構成される。
上記表示手段は、例えば、請求項７記載のように、上記臨時業務の実施内容を表示すると共に上記臨時業務の対象と同じ患者のオーダ情報に関連する実施内容を表示するように構成される。
また、この病院情報システムは、例えば、請求項８記載のように、上記抽出手段により抽出された臨時業務の実施内容と上記管理手段において管理されるオーダ情報と紐付けを行う紐付け手段とを更に備えるように構成される。
【手続補正４】
【補正対象書類名】図面
【補正対象項目名】図２６
【補正方法】変更
【補正の内容】
【図２６】
2004302946.tif 000001
【手続補正書】
【提出日】平成18年3月29日(2006.3.29)
【手続補正１】
【補正対象書類名】明細書
【補正対象項目名】特許請求の範囲
【補正方法】変更
【補正の内容】
【特許請求の範囲】
【請求項１】
複数の店舗の販売促進情報を記憶した第１の記憶手段と、
前記複数の店舗のうちの一の店舗の販売促進情報が記載されたクーポン券を発券する発券手段と、
一のクーポン券を選択可能に階層化されているメニューと、特定のクーポン券を選択するための表示領域とを含むメニュー画面を表示装置に表示させる制御手段とを備え、
前記発券手段は、前記メニュー画面で選択されたクーポン券を発券するクーポン券の発券装置。
【請求項２】
前記第１の記憶手段は、前記店舗の所在地を示す情報を有し、
前記発券装置の所在地を示す情報を記憶する第２の記憶手段と、
前記発券装置の所在地および前記店舗の所在地に基づいて、前記特定のクーポン券を定める特定クーポン選定手段と、を備える請求項１記載のクーポン券の発券装置。
【請求項３】
前記発券手段がクーポン券を発券した実績を示す発券情報を記憶する第３の記憶手段をさらに備え、
前記特定クーポン選定手段は、前記発券情報、前記発券装置の所在地および前記店舗の所在地に基づいて、前記特定のクーポン券を定める請求項２記載のクーポン券の発券装置。
【請求項４】
特定クーポン選定手段は、発券時刻、前記発券装置の所在地および前記店舗の所在地に基づいて、前記特定のクーポン券を定める請求項２記載のクーポン券の発券装置。
【請求項５】
前記発券装置を利用するユーザの識別情報を取得する識別情報取得手段をさらに備え、
前記第３の記憶手段は、前記発券情報をユーザの識別情報と対応付けて、ユーザ別に記憶していて、
前記特定クーポン選定手段は、前記識別情報取得手段が取得したユーザ識別情報、および前記ユーザ識別情報に対応付けられている発券情報、前記発券装置の所在地および前記店舗の所在地に基づいて、前記特定のクーポン券を定める請求項２記載のクーポン券の発券装置。
【請求項６】
表示装置を備えた端末装置におけるクーポン券の発券方法であって、
一のクーポン券を選択可能に階層化されたメニューと、特定のクーポン券を選択するための表示領域とを含むメニュー画面を表示装置に表示させるステップと、
前記階層化されたメニューに従った複数の入力を受け付けて、一のクーポン券が選択されると、選択されたクーポン券を発券し、
前記表示領域に対する一の入力を受け付けると、その表示領域に対応付けられているクーポン券を発券するステップとを有するクーポン券の発券方法。
【請求項７】
前記端末装置が記憶した前記店舗の所在地を示す情報と前記端末装置の所在地を示す情報とに基づいて、前記特定のクーポン券を定める第１の特定クーポン選定ステップを有する請求項６記載のクーポン券の発券方法。
【請求項８】
前記端末装置が記憶したクーポン券を発券した実績を示す発券情報に基づいて、前記特定のクーポン券を定める第２の特定クーポン選定ステップを有する請求項６記載のクーポン券の発券方法。
【請求項９】
前記端末装置が記憶した時間帯別にクーポン券を発券した実績を示す発券情報と現在時刻とに基づいて、前記特定のクーポン券を定める第３の特定クーポン選定ステップを有する請求項６記載のクーポン券の発券方法。
【請求項１０】
前記端末装置を利用するユーザの識別情報を取得するステップと、
取得したユーザの識別情報と、前記端末装置が記憶したクーポン券を発券した実績をユーザの識別情報と対応付けた発券情報とに基づいて、前記特定のクーポン券を定める第４の特定クーポン選定ステップを有する請求項６記載のクーポン券の発券方法。
【請求項１１】
表示装置を備えたコンピュータで実行可能なコンピュータプログラムであって、
一のクーポン券を選択可能に階層化されたメニューと、特定のクーポン券を選択するための表示領域とを含むメニュー画面を表示装置に表示させるステップと、
前記階層化されたメニューに従った複数の入力を受け付けて、一のクーポン券が選択されると、選択されたクーポン券を発券し、
前記表示領域に対する一の入力を受け付けると、その表示領域に対応付けられているクーポン券を発券するステップとをコンピュータに実行させるコンピュータプログラム。
【請求項１２】
前記コンピュータが記憶した前記店舗の所在地を示す情報と前記端末装置の所在地を示す情報とに基づいて、前記特定のクーポン券を定める第１の特定クーポン選定ステップをコンピュータに実行させる請求項１１記載のコンピュータプログラム。
【請求項１３】
前記コンピュータが記憶したクーポン券を発券した実績を示す発券情報に基づいて、前記特定のクーポン券を定める第２の特定クーポン選定ステップをコンピュータに実行させる請求項１１記載のコンピュータプログラム。
【請求項１４】
前記コンピュータが記憶した時間帯別にクーポン券を発券した実績を示す発券情報と現在時刻とに基づいて、前記特定のクーポン券を定める第３の特定クーポン選定ステップをコンピュータに実行させる請求項１１記載のコンピュータプログラム。
【請求項１５】
前記コンピュータを利用するユーザの識別情報を取得するステップと、
取得したユーザの識別情報と、前記コンピュータが記憶したクーポン券を発券した実績をユーザの識別情報と対応付けた発券情報とに基づいて、前記特定のクーポン券を定める第４の特定クーポン選定ステップをコンピュータに実行させる請求項１１記載のコンピュータプログラム。
【手続補正書】
【提出日】平成18年3月28日(2006.3.28)
【手続補正１】
【補正対象書類名】明細書
【補正対象項目名】特許請求の範囲
【補正方法】変更
【補正の内容】
【特許請求の範囲】
【請求項１】
放射線画像変換パネル上の医用放射線画像を読取る読取装置と、前記医用放射線画像に基づいて、感光性材料に出力画像を形成する露光装置とを備えた医用放射線画像形成システムであって、
前記読取装置が、読み取り時の主走査方向および副走査方向の画素サイズのデータを前記露光装置に伝送する伝送手段を備え、
前記露光装置が、前記伝送された画素サイズのデータに基づいて、前記読取装置の前記医用放射線画像の読み取り時の主走査方向および副走査方向の画素サイズと、前記露光装置の画像形成時の主走査方向および副走査方向の画像サイズとの比が、主走査方向、副走査方向共に整数比であるか若しくは共に（１／整数）比となるように画像形成時の画素サイズを調整する補正手段を備えることを特徴とする医用放射線画像形成システム。
【請求項２】
前記読取装置は、読み取り時の画像ムラの補正条件を前記露光装置に伝送する伝送手段を備え、かつ前記露光装置は、前記の伝送された読み取り時画像ムラ補正条件と露光時の画像ムラ補正条件とを一括して、前記医用放射線画像の画像ムラを補正する補正手段を備えることを特徴とする請求項１に記載の医用放射線画像形成システム。
【請求項３】
前記読取装置は、医用放射線画像に含まれる周波数成分を分析する分析手段と、前記周波数成分に関する情報を前記露光装置に伝送する伝送手段とを備え、かつ前記露光装置は前記周波数成分に関する情報に基づいて補正内容を選択して前記医用放射線画像を補正する補正手段を備えることを特徴とする請求項１に記載の医用放射線画像形成システム。
【請求項４】
前記読取装置は、前記放射線画像変換パネルのパネルタイプを読み取るタイプ読み取り手段と、前記読み取ったパネルタイプの情報を前記露光装置に伝送する伝送手段とを備え、かつ前記露光装置は、前記パネルタイプの情報に基づいて補正内容を選択して前記医用放射線画像を補正する補正手段を備えることを特徴とする請求項１に記載の医用放射線画像形成システム。
【請求項５】
前記読取装置は、前記医用放射線画像の読み取り時における前記放射線画像変換パネルのパネル温度またはパネル近傍雰囲気のパネル雰囲気温度を計測するパネル温度計測手段と、前記計測されたパネル温度またはパネル雰囲気温度の情報を前記露光装置に伝送する伝送手段とを備え、かつ前記露光装置は、前記伝送されたパネル温度またはパネル雰囲気温度の情報に基づいて前記医用放射線画像を補正する補正手段を備えることを特徴とする請求項１に記載の医用放射線画像形成システム。
【手続補正２】
【補正対象書類名】明細書
【補正対象項目名】発明の名称
【補正方法】変更
【補正の内容】
【発明の名称】医用放射線画像形成システム
【手続補正書】
【提出日】平成18年1月5日(2006.1.5)
【手続補正１】
【補正対象書類名】明細書
【補正対象項目名】特許請求の範囲
【補正方法】変更
【補正の内容】
【特許請求の範囲】
【請求項１】  物体側より順に、
少なくとも１面を非球面形状とし、かつ近軸近傍における形状を両凸形状とした正のパワーを有する第１レンズと、
絞りと、
少なくとも１面を非球面形状とし、かつ近軸近傍において物体側に凹面を向けた正のパワーを有するメニスカス形状の第２レンズと、
両面を非球面形状とし、かつ正または負のパワーを有し、近軸近傍において物体側の面が凸面形状のプラスチック材料よりなる第３レンズと
を備え、
かつ、以下の条件式（１）〜（３）を満足するように構成されている
ことを特徴とする単焦点レンズ。
０．８＜ｆ１／ｆ＜２．０  ……（１）
６０＜νｄ１  ……（２）
０．２＜Ｄ２／ｆ＜０．５  ……（３）
ただし、
ｆ：全体の焦点距離
ｆ１：第１レンズの焦点距離
νｄ１：ｄ線に対する第１レンズのアッベ数
Ｄ２：第１レンズと第２レンズとの間の空気間隔
【請求項２】  前記第１レンズの物体側の面が非球面形状であり、その形状が、有効径の範囲内で、周辺に行くほど正のパワーが弱くなるものであり、
前記第２レンズの両面が非球面形状であり、その形状が、有効径の範囲内で、物体側の面が、周辺に行くほど負のパワーが弱くなる形状であり、かつ、像側の面が、周辺に行くほど正のパワーが弱くなる形状であり、
前記第３レンズの非球面形状は、有効径の範囲内で、物体側の面が、周辺に行くほど正のパワーが弱くなる形状であり、かつ、像側の面が、周辺に行くほど負のパワーが弱くなる形状である
ことを特徴とする請求項１に記載の単焦点レンズ。
【請求項３】  前記第１レンズは、ガラス材料よりなり、
前記第２レンズは、プラスチック材料よりなる
ことを特徴とする請求項１または２に記載の単焦点レンズ。
【請求項４】  物体側より順に、
近軸近傍における形状を両凸形状とした正のパワーを有する第１レンズと、
絞りと、
少なくとも１面を非球面形状とし、かつ近軸近傍において物体側に凹面を向けた正のパワーを有するメニスカス形状の第２レンズと、
両面を非球面形状とし、かつ正または負のパワーを有し、近軸近傍において物体側の面が凸面形状のプラスチック材料よりなる第３レンズと
を備え、
かつ、以下の条件式（１）〜（３）を満足するように構成されている
ことを特徴とする単焦点レンズ。
０．８＜ｆ１／ｆ＜２．０  ……（１）
６０＜νｄ１  ……（２）
０．２＜Ｄ２／ｆ＜０．５  ……（３）
ただし、
ｆ：全体の焦点距離
ｆ１：第１レンズの焦点距離
νｄ１：ｄ線に対する第１レンズのアッベ数
Ｄ２：第１レンズと第２レンズとの間の空気間隔
【手続補正２】
【補正対象書類名】明細書
【補正対象項目名】００１０
【補正方法】変更
【補正の内容】
【００１０】
【課題を解決するための手段】
本発明による単焦点レンズは、物体側より順に、少なくとも１面を非球面形状とし、かつ近軸近傍における形状を両凸形状とした正のパワーを有する第１レンズと、絞りと、少なくとも１面を非球面形状とし、かつ近軸近傍において物体側に凹面を向けた正のパワーを有するメニスカス形状の第２レンズと、両面を非球面形状とし、かつ正または負のパワーを有し、近軸近傍において物体側の面が凸面形状のプラスチック材料よりなる第３レンズとを備え、かつ、以下の条件式（１）〜（３）を満足するように構成されているものである。
また、本発明の他の観点に係る単焦点レンズは、物体側より順に、近軸近傍における形状を両凸形状とした正のパワーを有する第１レンズと、絞りと、少なくとも１面を非球面形状とし、かつ近軸近傍において物体側に凹面を向けた正のパワーを有するメニスカス形状の第２レンズと、両面を非球面形状とし、かつ正または負のパワーを有し、近軸近傍において物体側の面が凸面形状のプラスチック材料よりなる第３レンズとを備え、かつ、以下の条件式（１）〜（３）を満足するように構成されているものである。
【手続補正書】
【提出日】平成18年3月28日(2006.3.28)
【手続補正１】
【補正対象書類名】明細書
【補正対象項目名】特許請求の範囲
【補正方法】変更
【補正の内容】
【特許請求の範囲】
【請求項１】
像担持体と、
光源、回転多面鏡および走査レンズを筐体に備えた走査光学手段と、
印字ズレを補正する補正手段と、
駆動時間を計測する駆動時間計時手段と、
待機時間を計測する待機時間計時手段とを有し、
現像剤を記録媒体に転写し、定着させる前に、
上記補正手段により、所定の時間に対する記録媒体の副走査方向に沿った印字ズレのプロファイルに基づいて、上記副走査方向の印字ズレを補正可能に構成されている
ことを特徴とする画像形成装置。
【請求項２】
印字ズレのプロファイルを駆動時間および待機時間によって近似的な関数で表し、上記駆動時間計時手段および上記待機時間計時手段の値に応じて印字ズレ補正値を補正関数によって算出することを特徴とする請求項１記載の画像形成装置。
【請求項３】
上記補正関数Ｒは、駆動時間をＴo、待機時間をＴsとした場合に、
【数１】
2004302244.tif 000001
によって定義された関数であるとともに、Ｔo≧γの場合に、Ｔo＝γとし、
【数２】
2004302244.tif 000002
の場合に、Ｒ＝０とすることを特徴とする請求項２記載の画像形成装置。
【請求項４】
時間に対する記録媒体の副走査方向に沿った印字ズレのプロファイルが、上記像担持体に対するレーザ光束の副走査方向の時間に対する照射位置の変動量であることを特徴とする請求項１記載の画像形成装置。
【請求項５】
上記補正手段が、走査光学装置の回転多面鏡の走査回転位相を変化させることにより補正可能に構成されていることを特徴とする請求項１記載の画像形成装置。
【請求項６】
上記補正手段が、副走査方向の画像データの出力するタイミングを変化させて補正可能に構成されていることを特徴とする請求項１記載の画像形成装置。
【請求項７】
上記補正手段は、上記走査光学装置の回転多面鏡の走査回転位相を変化させて行う補正と、副走査方向の画像データの出力するタイミングを変化させる補正とを同時に実行可能に構成されていることを特徴とする請求項１記載の画像形成装置。
【請求項８】
複数の色にそれぞれ対応する、複数の像担持体と、複数の走査光学装置とを備えたカラー画像形成装置であることを特徴とする請求項１乃至７のいずれか１項記載の画像形成装置。
【請求項９】
上記走査光学手段が、互いに独立した複数のレーザを１つの回転多面鏡の異なる反射面によって対称に走査可能に構成されていることを特徴とする請求項１乃至７のいずれか１項記載の画像形成装置。
【請求項１０】
上記α、β、γは、それぞれの色ごとによって互いに異なる値であることを特徴とする請求項３記載の画像形成装置。
【手続補正２】
【補正対象書類名】明細書
【補正対象項目名】０１０９
【補正方法】削除
【補正の内容】
【手続補正３】
【補正対象書類名】明細書
【補正対象項目名】０１１０
【補正方法】削除
【補正の内容】
【手続補正４】
【補正対象書類名】明細書
【補正対象項目名】０１１１
【補正方法】削除
【補正の内容】
【手続補正５】
【補正対象書類名】明細書
【補正対象項目名】０１１２
【補正方法】削除
【補正の内容】
【手続補正６】
【補正対象書類名】明細書
【補正対象項目名】０１１３
【補正方法】削除
【補正の内容】
【手続補正７】
【補正対象書類名】明細書
【補正対象項目名】０１１４
【補正方法】削除
【補正の内容】
【手続補正８】
【補正対象書類名】明細書
【補正対象項目名】０１１５
【補正方法】削除
【補正の内容】
【手続補正９】
【補正対象書類名】明細書
【補正対象項目名】０１１６
【補正方法】削除
【補正の内容】
【手続補正１０】
【補正対象書類名】明細書
【補正対象項目名】０１１７
【補正方法】削除
【補正の内容】
【手続補正１１】
【補正対象書類名】明細書
【補正対象項目名】０１１８
【補正方法】削除
【補正の内容】
【手続補正書】
【提出日】平成17年12月7日(2005.12.7)
【手続補正１】
【補正対象書類名】明細書
【補正対象項目名】発明の名称
【補正方法】変更
【補正の内容】
【発明の名称】情報処理方法及び情報処理装置
【手続補正２】
【補正対象書類名】明細書
【補正対象項目名】特許請求の範囲
【補正方法】変更
【補正の内容】
【特許請求の範囲】
【請求項１】
ヘルプモードを有する機器に対して行われた第１の操作を検知する操作検知工程と、
前記操作検知工程により前記第１の操作が検知されたときの前記機器の状態がヘルプモードの場合に、前記第１の操作に対応する動作の説明を音声出力する音声出力工程と、
動作の説明が音声出力された前記第１の操作に関する情報を記憶装置に記憶する記憶工程と、
予め定められた条件が満たされた場合に、前記記憶装置に記憶されている前記第１の操作に関する情報に基づいて、該操作に対応する動作を実行する実行工程と
を有することを特徴とする情報処理方法。
【請求項２】
前記第１の操作よりも後に行われた第２の操作を検知する第２の操作検知工程をさらに有し、
前記予め定められた条件とは、前記第２の操作が前記記憶装置に記憶された操作に関する情報に対応する動作を実行させるための実行指示操作である場合に満たされる条件であることを特徴とする請求項１に記載の情報処理方法。
【請求項３】
前記予め定められた条件とは、前記第２の操作が前記実行操作であり、かつ、前記第２の操作を検知したときの前記機器の状態がヘルプモードである場合に満たされる条件であることを特徴とする請求項２に記載の情報処理方法。
【請求項４】
前記操作検知工程により前記第１の操作が検知されたときの前記機器の状態がヘルプモードでない場合に、前記第１の操作に対応する動作を実行する第２の実行手段をさらに有することを特徴とする請求項１に記載の情報処理方法。
【請求項５】
前記機器の状態がヘルプモードであって前記第１の操作がヘルプ操作の場合、該機器の状態をヘルプモードから解除する解除工程と、
前記機器の状態がヘルプモードではなく前記第１の操作がヘルプ操作の場合、該機器の状態をヘルプモードに設定する設定工程と
をさらに備えることを特徴とする請求項１に記載の情報処理方法。
【請求項６】
前記第１の操作よりも後に行われた第２の操作を検知する第２の操作検知工程をさらに有し、
前記予め定められた条件とは、前記第２の操作が検知されたときの前記機器の状態がヘルプモードではなく、かつ前記第２の操作がヘルプ操作でない場合に、前記第１の操作に対応する動作を実行することを特徴とする請求項１に記載の情報処理方法。
【請求項７】
前記操作検知工程により前記機器に対して行われた操作が検知された場合、現在出力されている音声の出力を中断する中断工程をさらに有することを特徴とする請求項１に記載の情報処理方法。
【請求項８】
前記実行工程により実行された前記操作の動作結果を音声出力する第２の音声出力工程をさらに有することを特徴とする請求項１に記載の情報処理方法。
【請求項９】
前記機器に対して行われた前記操作の名称情報を取得する取得工程をさらに有し、
前記音声出力工程は、前記動作の説明を音声出力する場合に、該動作の説明の前に前記名称を音声出力することを特徴とする請求項１に記載の情報処理方法。
【請求項１０】
前記機器に対して同一操作が連続して行われたか否かを判定する判定工程と、
同一操作が連続して行われた場合、出力する音声の音質を直前に出力された音声と変更する変更工程と
をさらに有することを特徴とする請求項１に記載の情報処理方法。
【請求項１１】
前記変更工程が、出力音声の発声速度、音量及び声質のうち少なくとも１つを変更することを特徴とする請求項１０に記載の情報処理方法。
【請求項１２】
請求項１から１１までのいずれか１項に記載の情報処理方法をコンピュータに実行させるための制御プログラム。
【請求項１３】
ヘルプモードを有する機器に対して行われた第１の操作を検知する操作検知手段と、
前記操作検知手段により前記第１の操作が検知されたときの前記機器の状態がヘルプモードの場合に、前記第１の操作に対応する動作の説明を音声出力する音声出力手段と、
動作の説明が音声出力された前記第１の操作に関する情報を記憶する記憶手段と、
予め定められた条件が満たされた場合に、前記記憶手段に記憶されている前記第１の操作に関する情報に基づいて、前記第１の操作に対応する動作を実行する実行手段と
を備えることを特徴とする情報処理装置。
【手続補正３】
【補正対象書類名】明細書
【補正対象項目名】０００８
【補正方法】変更
【補正の内容】
【０００８】
本発明は、このような事情を考慮してなされたものであり、モードを切り替える操作をしなくても、機器に対する操作の実行や操作内容の説明の音声出力を機器の使用感を損うことなく実行することができる情報処理方法及び情報処理装置を提供することを目的とする。
【手続補正４】
【補正対象書類名】明細書
【補正対象項目名】０００９
【補正方法】変更
【補正の内容】
【０００９】
【課題を解決するための手段】
上記課題を解決するために、本発明に係る情報処理方法は、
ヘルプモードを有する機器に対して行われた第１の操作を検知する操作検知工程と、
前記操作検知工程により前記第１の操作が検知されたときの前記機器の状態がヘルプモードの場合に、前記第１の操作に対応する動作の説明を音声出力する音声出力工程と、
動作の説明が音声出力された前記第１の操作に関する情報を記憶装置に記憶する記憶工程と、
予め定められた条件が満たされた場合に、前記記憶装置に記憶されている前記第１の操作に関する情報に基づいて、該操作に対応する動作を実行する実行工程と
を有することを特徴とする。
また、上記課題を解決するために、本発明に係る情報処理装置は、
ヘルプモードを有する機器に対して行われた第１の操作を検知する操作検知手段と、
前記操作検知手段により前記第１の操作が検知されたときの前記機器の状態がヘルプモードの場合に、前記第１の操作に対応する動作の説明を音声出力する音声出力手段と、
動作の説明が音声出力された前記第１の操作に関する情報を記憶する記憶手段と、
予め定められた条件が満たされた場合に、前記記憶手段に記憶されている前記第１の操作に関する情報に基づいて、前記第１の操作に対応する動作を実行する実行手段と
を備えることを特徴とする。
【手続補正５】
【補正対象書類名】明細書
【補正対象項目名】００１１
【補正方法】変更
【補正の内容】
【００１１】
＜第１の実施形態＞
図１は、本発明の第１の実施形態における入力ボタン等の操作内容の説明を音声出力可能な情報処理装置のハードウェア構成を示すブロック図である。すなわち、本実施形態に係る情報処理装置は、以下に詳述するように、ユーザが行ったボタン押下等の操作に対応する動作内容の説明を音声出力することができるとともに、ヘルプモードであってもユーザが行ったボタン押下等の操作により、通常モードに切り替える操作をしなくても情報処理装置に所望の処理を実行させることができるといった機能を備えている。
【手続補正書】
【提出日】平成18年3月2日(2006.3.2)
【手続補正１】
【補正対象書類名】図面
【補正対象項目名】図２
【補正方法】変更
【補正の内容】
【図２】
2004302701.tif 000001
【手続補正２】
【補正対象書類名】明細書
【補正対象項目名】００９１
【補正方法】変更
【補正の内容】
【００９１】
シークエンスは、ストレージデバイス２００の情報を所得する「Ｉｎｉｔｉａｌｉｚａｔｉｏｎ＿ＳＴＥＰ（イニシャル手順）」と、シークエンスＩＤを確保する「Ｓｔａｒｔ＿ＳＴＥＰ」、ストレージデバイス２００の証明書検証からチャレンジ鍵Ｋｓ１の共有までの「Ａｕｔｈｅｎｔｉｃａｔｉｏｎ＿ＳＴＥＰ」、ライセンスを転送して書き込むまでの「Ｔｒａｎｓｍｉｓｓｉｏｎ＿ＳＴＥＰ」、シークエンスＩＤを開放する「Ｅｎｄ＿ＳＴＥＰ」に区分される。そして、「ＷＲＩＴＥ＿ＬＩＣＥＮＳＥ（ライセンス書込命令）」終了後、ライセンスデータを続けてストレージデバイス２００に記憶する場合、「Ｔｒａｎｓｍｉｓｓｉｏｎ＿ＳＴＥＰ」を繰り返しても良い。この場合、安全性は損なわれない。また、「Ａｕｔｈｅｎｔｉｃａｔｉｏｎ＿ＳＴＥＰ」から開始しても良い。